(57)【要約】  【課題】  画像読取手段を利用して読み取った画像をネットワーク上のサーバへと送信可能で、しかも、サーバへ送信された画像をトラックバック元とするトラックバック通知をサーバからトラックバック先アドレスへ送信する際に必要となる情報をも、ネットワーク上のサーバへと送信可能な画像処理装置を提供すること。  【解決手段】  複合機、読取部において読取対象をスキャンして画像を読み取り（Ｓ１００５〜Ｓ１０１５）、その画像のアップロード先となるアドレスをｂｌｏｇサーバから取得する（Ｓ１０２０〜Ｓ１０２５）。そして、トラックバック先アドレスが入力されている場合には（Ｓ１０３０：ＹＥＳ）、読取部においてスキャンした画像をトラックバック先アドレスとともにｂｌｏｇサーバにアップロードする（Ｓ１０３５）。これを受けたｂｌｏｇサーバは、トラックバック先アドレス宛にトラックバック通知を送信する。【選択図】  図１７
2007067873.tif 000002
【特許請求の範囲】
【請求項１】
ネットワーク上の端末装置から受信した画像をネットワーク上の他の端末装置へ配信する機能およびトラックバック先アドレスに対してトラックバック通知を送信する機能を備えたサーバに対して、ネットワークを介して各種データを送信可能に構成された画像処理装置であって、
原稿から画像を読み取り可能な画像読取手段と、
前記画像読取手段によって読み取られた画像に対応付けるトラックバック先アドレスを決定する決定手段と、
前記画像読取手段によって読み取られた画像を表す画像データ、および前記決定手段によって決定されたトラックバック先アドレスを示すアドレスデータを、前記サーバへと送信するデータ送信手段と
を備えたことを特徴とする画像処理装置。
【請求項２】
前記決定手段は、自機または他機が過去にアクセスしたウェブページに対応するトラックバック先アドレスに基づいて、前記画像読取手段によって読み取られた画像に対応付けるトラックバック先アドレスを決定する
ことを特徴とする請求項１に記載の画像処理装置。
【請求項３】
前記決定手段は、ウェブページにアクセスした機器によって前記ウェブページに対応するトラックバック先アドレスが登録、蓄積されるデータベースから、自機または他機が過去にアクセスしたウェブページに対応するトラックバック先アドレスを読み出し、読み出したトラックバック先アドレスに基づいて、前記画像読取手段によって読み取られた画像に対応付けるトラックバック先アドレスを決定する
ことを特徴とする請求項２に記載の画像処理装置。
【請求項４】
前記データベースは、自機が備える記憶手段を利用して構成されている
ことを特徴とする請求項３に記載の画像処理装置。
【請求項５】
前記決定手段は、自機が過去に印刷したウェブページに対応するトラックバック先アドレスに基づいて、前記画像読取手段によって読み取られた画像に対応付けるトラックバック先アドレスを決定する
ことを特徴とする請求項２〜請求項４のいずれかに記載の画像処理装置。
【請求項６】
前記画像読取手段によって読み取られた画像を、前記画像によって表現されたデータに変換するデータ変換手段を備え、
前記決定手段は、前記データ変換手段によって変換されたデータ中に含まれるトラックバック先アドレスに基づいて、前記画像読取手段によって読み取られた画像に対応付けるトラックバック先アドレスを決定する
ことを特徴とする請求項１〜請求項５のいずれかに記載の画像処理装置。
【請求項７】
着脱自在な記憶媒体から当該記憶媒体に記憶されたデータを読み取り可能なデータ読取手段を備えており、
前記決定手段は、前記データ読取手段によって読み取られたデータ中に含まれるトラックバック先アドレスに基づいて、前記画像読取手段によって読み取られた画像に対応付けるトラックバック先アドレスを決定する
ことを特徴とする請求項１〜請求項６のいずれかに記載の画像処理装置。
【請求項８】
自機と通信可能な他の端末装置からデータを受信可能なデータ受信手段を備えており、
前記決定手段は、前記データ受信手段によって受信されたデータ中に含まれるトラックバック先アドレスに基づいて、前記画像読取手段によって読み取られた画像に対応付けるトラックバック先アドレスを決定する
ことを特徴とする請求項１〜請求項７のいずれかに記載の画像処理装置。
【請求項９】
処理対象の候補となる複数のトラックバック先アドレスのリストを表示するアドレスリスト表示手段と、
利用者から受けた入力操作に基づいて、前記アドレスリスト表示手段によって表示されたアドレスのリストの中から、少なくとも１つのアドレスを選択するアドレス選択手段とが設けられ、
前記決定手段は、前記アドレス選択手段によって選択された前記少なくとも１つのアドレスを、前記画像読取手段によって読み取られた画像に対応付けるトラックバック先アドレスとして決定する
ことを特徴とする請求項１〜請求項８のいずれかに記載の画像処理装置。
【請求項１０】
ネットワーク上の端末装置から受信した画像をネットワーク上の他の端末装置へ配信する機能およびトラックバック先アドレスに対してトラックバック通知を送信する機能を備えたサーバに対し、ネットワークを介して各種データを送信する処理を、原稿から画像を読み取り可能な画像読取手段を備えた画像処理装置が内蔵するコンピュータに実行させるプログラムであって、
前記画像読取手段によって読み取られた画像に対応付けるトラックバック先アドレスを決定する決定手順と、
前記画像読取手段によって読み取られた画像を表す画像データ、および前記決定手順において決定されたトラックバック先アドレスを示すアドレスデータを、前記サーバへと送信するデータ送信手順と
を前記コンピュータに実行させることを特徴とするプログラム。
【発明の詳細な説明】
【技術分野】
【０００１】
本発明は、画像処理装置、およびプログラムに関する。
【背景技術】
【０００２】
従来、イメージスキャナ部において原稿から読み取った画像を、ネットワークを介してサーバへ送信する機能（Scan to FTP 等と呼ばれる機能）を備えた画像処理装置が知られている（例えば、特許文献１：段落［０００２］参照。）。
【０００３】
このような機能を有する画像処理装置は、画像処理装置からネットワーク上のサーバへ画像を直接送信することができるので、画像をサーバへ送信する際に、画像処理装置から他の端末装置（例えば、パーソナルコンピュータ等）へ一旦画像を転送しなくても、画像処理装置単独でサーバへの画像送信を実施することができた。
【０００４】
一方、近年、インターネット上で公開されているウェブページの中には、トラックバック機能に対応したウェブページが増えている。このトラックバック機能は、あるウェブページａへのハイパーリンクを、他のウェブページｂの中に登録（逆リンク）してもらうために用意された機能で、例えば、ｂｌｏｇ（ブログ；ｗｅｂｌｏｇ（ウェブログ）の略称）と呼ばれる形態のウェブページ等においては、トラックバック機能を採用している例が多い。
【０００５】
以下、このトラックバック機能の仕組みについて、自分のウェブページａ（ｂｌｏｇ ａ）がｂｌｏｇサーバＡに存在し、他人のウェブページｂ（ｂｌｏｇ ｂ）が他のｂｌｏｇサーバＢに存在する場合を例に挙げて説明する。
【０００６】
この例の場合、ウェブページａの管理者は、例えば、自分のウェブページａに掲載する記事ａ１をパーソナルコンピュータ（以下、ＰＣという）上で編集し、そのＰＣからネットワークを介してｂｌｏｇサーバＡにアクセスし、記事ａ１をｂｌｏｇサーバＡにアップロードすることができる。
【０００７】
このとき、ウェブページａの管理者が、ウェブページａ中の記事ａ１へのハイパーリンクを、他人のウェブページｂ（あるいは、ウェブページｂ中の記事ｂ１）の中に登録してもらいたければ、ｂｌｏｇサーバＡからｂｌｏｇサーバＢへのトラックバック通知を行うために必要となる情報を、ＰＣからｂｌｏｇサーバＡへ送信する。ここで送信されるトラックバック通知を行うために必要となる情報には、トラックバック通知の送信先となるアドレス（以下、トラックバック先アドレスという）などが含まれている。
【０００８】
このトラックバック先アドレスは、「トラックバックＵＲＬ(trackback URL)」などとも呼ばれる（URL:Uniform Resource Locator)。ただし、以下の説明では、トラックバック元のＵＲＬとトラックバック先のＵＲＬとを明示的に区別する都合上、トラックバック先アドレスまたはトラックバック先ＵＲＬ、トラックバック元アドレスまたはトラックバック元ＵＲＬという用語を使用することにし、トラックバックＵＲＬという用語は使用しない。
【０００９】
ウェブページｂ中の記事ｂ１がトラックバック機能に対応している場合、通常、その記事ｂ１に対応するトラックバック先アドレスが、ウェブページｂのどこかに掲載されている。したがって、ウェブページａの管理者は、ウェブページｂを参照して、ウェブページｂの中に掲載されているトラックバック先アドレスを知ることができ、そのトラックバック先アドレスをＰＣからｂｌｏｇサーバＡへと送信することができる。
【００１０】
ｂｌｏｇサーバＡは、ＰＣから記事ａ１がアップロードされたら、記事ａ１をファイルに保存する。以後、ネットワーク上の端末装置からウェブページａの閲覧要求があった場合には、ｂｌｏｇサーバＡが備えるウェブページ配信機能により、要求元となった端末装置に対して、記事ａ１を含むウェブページａを配信できるようになる。また、ＰＣから記事ａ１がアップロードされた際に、記事ａ１とともにトラックバック先アドレスを受信していたら、ｂｌｏｇサーバＡが備えるトラックバック通知送信機能により、トラックバック先アドレスに対してトラックバック通知を送信する。このトラックバック通知は、「トラックバックｐｉｎｇ」(trackback ping)とも呼ばれ、トラックバック通知には、トラックバック元（この場合、ウェブページａ中の記事ａ１）に関する情報が含まれている。
【００１１】
一方、ｂｌｏｇサーバＢは、トラックバック通知受信機能を備えており、ｂｌｏｇサーバＡがトラックバック先アドレスへと送信したトラックバック通知は、ｂｌｏｇサーバＢによって受信される。ｂｌｏｇサーバＢは、トラックバック通知を受信した場合、トラックバック通知中に含まれる情報に基づいて、ウェブページａ中の記事ａ１へのハイパーリンクを、トラックバック先アドレスに対応するウェブページｂ（あるいは、ウェブページｂ中の記事ｂ１）の中に登録する。以後、ネットワーク上の端末装置からウェブページｂの閲覧要求があった場合には、ｂｌｏｇサーバＢが備えるウェブページ配信機能により、要求元となった端末装置に対して、ウェブページａ中の記事ａ１へのハイパーリンクを含むウェブページｂを配信できるようになる。
【特許文献１】特開２００２−３４４６７８号公報
【発明の開示】
【発明が解決しようとする課題】
【００１２】
以上説明したように、ＰＣからｂｌｏｇサーバＡへ、自分のウェブページａに掲載する記事ａ１をアップロードする際には、トラックバック機能を利用するための情報も併せてサーバへと送信することにより、ウェブページａ中の記事ａ１へのハイパーリンクを、他人のウェブページｂの中に登録（逆リンク）してもらうことができた。
【００１３】
しかしながら、上記従来の画像処理装置からサーバへ画像をアップロードする際には、トラックバック機能を利用するための情報を画像処理装置からサーバへ送信する仕組みがないため、画像処理装置単独では、サーバへアップロードした画像へのハイパーリンクを、他のウェブページの中に登録（逆リンク）してもらうようなことができなかった。
【００１４】
もちろん、画像処理装置とは別にＰＣ等の端末装置を用意すれば、画像処理装置からサーバへ画像をアップロードし、別途、ＰＣ等の端末装置からサーバへトラックバック関連の情報を送信する、といったことはできる。あるいは、画像処理装置からＰＣ等の端末装置へ画像を一旦転送して、ＰＣ等の端末装置からサーバへ画像をアップロードするようにし、その画像のアップロード時にトラックバック関連の情報をも送信する、といったこともできる。
【００１５】
しかし、これらの方法では、画像処理装置とは別にＰＣ等の端末装置が必要となるので、単に画像のみをサーバへアップロードする場合に比べ、コストがかかる、という欠点があった。また、画像処理装置での操作に加え、ＰＣ等の端末装置での操作も行わざるを得ないので、それらの操作がきわめて煩雑になる、という欠点もあった。
【００１６】
本発明は、上記諸問題を解決するためになされたものであり、その目的は、画像読取手段を利用して読み取った画像をネットワーク上のサーバへと送信可能で、しかも、サーバへ送信された画像をトラックバック元とするトラックバック通知をサーバからトラックバック先アドレスへ送信する際に必要となる情報をも、ネットワーク上のサーバへと送信可能な画像処理装置およびプログラムを提供することにある。
【課題を解決するための手段】
【００１７】
以下、本発明において採用した特徴的構成について説明する。
本発明の画像処理装置は、ネットワーク上の端末装置から受信した画像をネットワーク上の他の端末装置へ配信する機能およびトラックバック先アドレスに対してトラックバック通知を送信する機能を備えたサーバに対して、ネットワークを介して各種データを送信可能に構成された画像処理装置であって、原稿から画像を読み取り可能な画像読取手段と、前記画像読取手段によって読み取られた画像に対応付けるトラックバック先アドレスを決定する決定手段と、前記画像読取手段によって読み取られた画像を表す画像データ、および前記決定手段によって決定されたトラックバック先アドレスを示すアドレスデータを、前記サーバへと送信するデータ送信手段とを備えたことを特徴とする。
【００１８】
このように構成された画像処理装置によれば、画像読取手段によって読み取られた画像と併せて、この画像に対応付けるトラックバック先アドレスを示すアドレスデータをもサーバへと送信することができる。
【００１９】
したがって、画像読取手段によって読み取られた画像のみをサーバへ送信する画像処理装置とは異なり、画像処理装置単独での処理により、サーバへ送信された画像をトラックバック元とするトラックバック通知をサーバからトラックバック先アドレスへ送信することができるようになる。また、画像処理装置とは別にＰＣ等の端末装置を利用する必要がないので、ＰＣ等の端末装置を必要とするものほどシステム全体を導入するためのコストがかからず、画像処理装置とＰＣ等の端末装置それぞれにおいて操作を実施しなくてもよいので、それらの操作にかかる手間も省くことができる。
【００２０】
なお、本発明においては、さらに次のような構成を備えていることが望ましい。
まず、前記決定手段は、自機または他機が過去にアクセスしたウェブページに対応するトラックバック先アドレスに基づいて、前記画像読取手段によって読み取られた画像に対応付けるトラックバック先アドレスを決定する手段であるとよい。
【００２１】
ここで、自機とは動作主体となっている画像処理装置そのものを意味し、他機とは動作主体となっている画像処理装置以外の機器を意味する。また、自機または他機がアクセスしたウェブページとは、例えば、自機または他機が表示したウェブページ、自機または他機が印刷したウェブページ、あるいは、自機または他機がファイルとして保存したウェブページなどである。
【００２２】
決定手段は、自機または他機が過去にアクセスしたウェブページに対応するトラックバック先アドレスを取得し、取得したトラックバック先アドレスに基づいて、画像読取手段によって読み取られた画像に対応付けるトラックバック先アドレスを決定する。
【００２３】
自機または他機がこれらのウェブページにアクセスした際に、そのウェブページに対応するトラックバック先アドレスを自機内の記憶領域に格納していれば、決定手段は、その自機内の記憶領域からトラックバック先アドレスを取得することができる。また、自機または他機がこれらのウェブページにアクセスした際に、そのウェブページに対応するトラックバック先アドレスを、自機からアクセス可能な自機外の記憶領域（例えば、ネットワーク上のストレージデバイス等）に格納していれば、決定手段は、その自機外の記憶領域からトラックバック先アドレスを取得することができる。
【００２４】
そして、決定手段が取得したトラックバック先アドレスが一つのみであった場合は、取得したトラックバック先アドレスそのものを、画像読取手段によって読み取られた画像に対応付けるトラックバック先アドレスであると決定すればよい。あるいは、取得したトラックバック先アドレスの一部を整形して不要な情報の削除や必要な情報の付加を行った上で、画像読取手段によって読み取られた画像に対応付けるトラックバック先アドレスであると決定してもよい。さらに、取得したトラックバック先アドレスが複数ある場合は、その中から一つを選んで、選ばれたアドレスをそのまま、または上述の如く整形した上で、画像読取手段によって読み取られた画像に対応付けるトラックバック先アドレスであると決定すればよい。あるいは、取得したトラックバック先アドレスが複数ある場合、その中から二つ以上を選んでもよい。
【００２５】
このような構成にすれば、自機または他機が過去にアクセスしたウェブページのアクセス履歴の中から、簡単にトラックバック先アドレスを選ぶことができる。
特に、前記決定手段は、ウェブページにアクセスした機器によって前記ウェブページに対応するトラックバック先アドレスが登録、蓄積されるデータベースから、自機または他機が過去にアクセスしたウェブページに対応するトラックバック先アドレスを読み出し、読み出したトラックバック先アドレスに基づいて、前記画像読取手段によって読み取られた画像に対応付けるトラックバック先アドレスを決定する手段であるとよい。
【００２６】
このような構成にすれば、ウェブページにアクセスした機器によってウェブページに対応するトラックバック先アドレスが登録、蓄積されるデータベースから、自機または他機が過去にアクセスしたウェブページのアクセス履歴を取得して、その中から簡単にトラックバック先アドレスを選ぶことができる。したがって、最新のアクセス履歴１件のみが常に上書きで保存されるような記憶領域から、自機または他機が過去にアクセスしたウェブページのアクセス履歴を取得する場合に比べ、利用者が必要とするアクセス履歴を取得できる可能性を高めることができる。
【００２７】
また、前記データベースは、自機外にあるネットワーク上のストレージデバイス等を利用して構成されたものであってもよいが、前記データベースは、自機が備える記憶手段を利用して構成されているものであると望ましい。
【００２８】
このように構成すれば、画像処理装置が自機内における内部処理のみでデータベースにアクセスすることができるので、ネットワーク上で通信障害等のトラブルが発生した場合にも、データベースから情報が取得できなくなることがない。また、自機がアクセスしたウェブページに対応するトラックバック先アドレスをデータベースに登録、蓄積するように構成した場合には、ネットワーク上のトラブルに起因してデータベースに情報が登録できなくなることもない。
【００２９】
さらに、前記決定手段は、自機が過去に印刷したウェブページに対応するトラックバック先アドレスに基づいて、前記画像読取手段によって読み取られた画像に対応付けるトラックバック先アドレスを決定するとよい。
【００３０】
このように構成すれば、印刷機能は備えるものの、高度な表示機能は備えていない画像処理装置においても、過去に印刷したウェブページのアクセス履歴から、簡単にトラックバック先アドレスを選ぶことができる。
【００３１】
さて、以上が、トラックバック先アドレスをウェブページのアクセス履歴から選ぶ例となるが、これら以外の手段でトラックバック先アドレスを取得することもできる。
具体的には、例えば、本発明の画像処理装置は、前記画像読取手段によって読み取られた画像を、前記画像によって表現されたデータに変換するデータ変換手段を備えていてもよく、この場合、前記決定手段は、前記データ変換手段によって変換されたデータ中に含まれるトラックバック先アドレスに基づいて、前記画像読取手段によって読み取られた画像に対応付けるトラックバック先アドレスを決定するとよい。
【００３２】
ここで、データ変換手段が変換対象とする画像は、少なくとも所定の規約に則って所定のデータを表現している画像であり、具体的には、文字、バーコード、二次元コードなどの画像は、データ変換手段が変換対象とする画像に含まれる。
【００３３】
このように構成すれば、画像読取手段によって読み取った画像（文字、バーコード、二次元コード等）から、簡単にトラックバック先アドレスを取得することができる。
また、本発明の画像処理装置は、着脱自在な記憶媒体から当該記憶媒体に記憶されたデータを読み取り可能なデータ読取手段を備えていてもよく、この場合、前記決定手段は、前記データ読取手段によって読み取られたデータ中に含まれるトラックバック先アドレスに基づいて、前記画像読取手段によって読み取られた画像に対応付けるトラックバック先アドレスを決定するとよい。
【００３４】
ここで、着脱自在な記憶媒体とは、周知の各種リムーバブルメディア（例えば、メモリカード、ＣＤやＤＶＤなどの光ディスクメディア、ＦＤなどの磁気ディスクメディア）などである。
【００３５】
このように構成すれば、着脱自在な記憶媒体から、簡単にトラックバック先アドレスを取得することができる。
また、本発明の画像処理装置は、自機と通信可能な他の端末装置からデータを受信可能なデータ受信手段を備えていてもよく、この場合、前記決定手段は、前記データ受信手段によって受信されたデータ中に含まれるトラックバック先アドレスに基づいて、前記画像読取手段によって読み取られた画像に対応付けるトラックバック先アドレスを決定するとよい。
【００３６】
ここで、自機と通信可能な他の端末装置とは、ネットワーク上のＰＣ等であり、あるいは、ネットワークとは別の専用の通信路を介してローカルに接続されたＰＣ等であってもよい。
【００３７】
このように構成すれば、他の端末装置から、簡単にトラックバック先アドレスを取得することができる。
さらに、本発明の画像処理装置は、処理対象の候補となる複数のトラックバック先アドレスのリストを表示するアドレスリスト表示手段と、利用者から受けた入力操作に基づいて、前記アドレスリスト表示手段によって表示されたアドレスのリストの中から、少なくとも１つのアドレスを選択するアドレス選択手段とが設けられていてもよく、この場合、前記決定手段は、前記アドレス選択手段によって選択された前記少なくとも１つのアドレスを、前記画像読取手段によって読み取られた画像に対応付けるトラックバック先アドレスとして決定するとよい。
【００３８】
このように構成すれば、処理対象の候補となる複数のトラックバック先アドレスが存在する場合に、リストを表示してアドレスを選択できるので、利用者が容易にトラックバック先アドレスを選択できるようになる。
【００３９】
次に、本発明のプログラムは、ネットワーク上の端末装置から受信した画像をネットワーク上の他の端末装置へ配信する機能およびトラックバック先アドレスに対してトラックバック通知を送信する機能を備えたサーバに対し、ネットワークを介して各種データを送信する処理を、原稿から画像を読み取り可能な画像読取手段を備えた画像処理装置が内蔵するコンピュータに実行させるプログラムであって、前記画像読取手段によって読み取られた画像に対応付けるトラックバック先アドレスを決定する決定手順と、前記画像読取手段によって読み取られた画像を表す画像データ、および前記決定手順において決定されたトラックバック先アドレスを示すアドレスデータを、前記サーバへと送信するデータ送信手順とを前記コンピュータに実行させることを特徴とする。
【００４０】
このようなプログラムを利用すれば、原稿から画像を読み取り可能な画像読取手段を備えた画像処理装置を、本発明の画像処理装置として機能させることができる。
なお、上記請求項１０に記載のプログラムは、原稿から画像を読み取り可能な画像読取手段を備えた画像処理装置を、少なくとも、先に説明した請求項１に記載の各手段を備えた画像処理装置として機能させるためのプログラムであるが、さらに、画像処理装置を、先に説明した請求項２〜請求項９のいずれかに記載の各手段を備えた画像処理装置として機能させるためのプログラムとして構成されていてもよい。そのように構成されたプログラムを利用すれば、画像処理装置は、請求項２〜請求項９のいずれかに記載の画像処理装置について述べた通りの作用、効果を奏するものとなる。
【発明を実施するための最良の形態】
【００４１】
次に、本発明の実施形態について一例を挙げて説明する。
［画像処理システム全体の構成］
まず、画像処理システム全体の構成について説明する。
【００４２】
以下に説明する画像処理システムは、図１に示すように、複合機１、ｂｌｏｇサーバ２、トラックバック先ｂｌｏｇサーバ３、ＰＣ（パーソナルコンピュータ）４などを備え、これらがネットワーク５を介して相互に通信可能となっている。また、複合機１には、着脱自在なメモリカード６を装着して利用できるようになっている。
【００４３】
これらのうち、複合機１は、本発明の画像処理装置に相当するもので、電話（音声通信）機能、スキャナ機能、プリンタ機能、コピア機能、ファクシミリ機能を兼ね備えた多機能装置として構成されている。また、この複合機１は、スキャナ機能によって読み取った画像（画像データ）を、記事としてｂｌｏｇサーバ２へ送信する機能、および、ｂｌｏｇサーバ２からトラックバック先ｂｌｏｇサーバ３へトラックバック通知を送信する際に必要となるトラックバック先アドレス（アドレスデータ）をｂｌｏｇサーバ２へ送信する機能を備えている。
【００４４】
ｂｌｏｇサーバ２は、ネットワーク５経由でアクセスしてくるクライアント（例えば、複合機１、ＰＣ４など）からの要求を受けたときに、その要求に応じたサービスを提供するサーバコンピュータである。より詳しくは、このｂｌｏｇサーバ２は、ネットワーク５上の端末装置（本実施形態の場合は複合機１）から受信した記事（本実施形態の場合は複合機１のスキャナ機能によって読み取った画像）を蓄積し、その記事をネットワーク５上の他の端末装置（例えば、ＰＣ４）へ配信する機能（記事情報配信機能）を備えている。また、ｂｌｏｇサーバ２は、ネットワーク５上の端末装置（本実施形態の場合は複合機１）からトラックバック先アドレス（アドレスデータ）が送信されてきた場合に、そのトラックバック先アドレスに対してトラックバック通知を送信する機能（トラックバック通知送信機能）を備えている。
【００４５】
トラックバック先ｂｌｏｇサーバ３も、ｂｌｏｇサーバ２と同様、ネットワーク５経由でアクセスしてくるクライアント（例えば、複合機１、ＰＣ４など）からの要求を受けたときに、その要求に応じたサービスを提供するサーバコンピュータである。より詳しくは、このトラックバック先ｂｌｏｇサーバ３は、ネットワーク５上の端末装置（例えば、ＰＣ４）から受信した記事（画像あるいはテキストなどを含むｂｌｏｇ記事）を蓄積し、その記事をネットワーク５上の他の端末装置（例えば、複合機１）へ配信する機能（記事情報配信機能）を備えている。また、トラックバック先ｂｌｏｇサーバ３は、ネットワーク５上の機器（本実施形態の場合はｂｌｏｇサーバ２）から送信されてくるトラックバック通知を受信する機能（トラックバック通知受信機能）を備えている。本実施形態の場合、トラックバック先ｂｌｏｇサーバ３の記事情報配信機能によって配信される記事には、トラックバック先アドレスが設定されている。このトラックバック先アドレスに対してｂｌｏｇサーバ２からトラックバック通知が送信されると、そのトラックバック通知がトラックバック先ｂｌｏｇサーバ３のトラックバック通知受信機能によって受信されることになる。
【００４６】
ＰＣ４は、ネットワーク５上に多数存在する端末装置の一つを代表的に例示したものである。本実施形態においては、後述する説明の中で、複合機１とＰＣ４との間で通信を行って、この通信により、トラックバック先アドレスに関する情報をやり取りする際に、ＰＣ４を利用している。この他、本実施形態の中では、トラックバック先ｂｌｏｇサーバ３へ記事を送信する（記事をアップロードする）端末装置、ｂｌｏｇサーバ２やトラックバック先ｂｌｏｇサーバ３から記事が配信される（記事をダウンロードする）端末装置としても、ＰＣ４を例示している。ただし、上述の通り、ＰＣ４は、ネットワーク５上に多数存在する端末装置の一つを代表的に例示したものであり、上述の処理すべてを実施する単一のＰＣ４が存在するという意味ではない。
【００４７】
ネットワーク５は、その一部がローカルエリアネットワーク（Local Area Network；ＬＡＮ）、他の一部がインターネット等の広域ネットワーク（Wide Area Network；ＷＡＮ）によって構成され、ネットワーク５上の各所には、ゲートウェイ機能やルータ機能を持つ中継機器が配設されている。ただし、このようなネットワーク５の構成は周知であり、ネットワーク５の構成そのものは本発明の要部ではないので、図１では、ＬＡＮおよびＷＡＮは特に区別せず、各種中継機器も図示を省略してある。
【００４８】
［複合機の構成］
次に、複合機１の構成について説明する。
複合機１は、制御部１１、操作部１２、表示部１３、通信部１４、電話通信部１５、読取部１６、印刷部１７、記憶部１８、および、メモリカードインターフェース１９などを備えている。
【００４９】
制御部１１は、周知のＣＰＵ、ＲＯＭ、およびＲＡＭなどを中心に構成されている。この制御部１１において、ＣＰＵはＲＯＭに記憶されたプログラムに従って後述する処理を実行し、これにより、制御部１１が複合機１の各部を制御するようになっている。また、プログラムの一部は、書き換え可能なＲＯＭ（例えばフラッシュメモリなど）に記憶されており、後日、通信部１４やメモリカードインターフェース１９経由で読み込んだ更新プログラムを上書きすることにより、ヴァージョンアップを図ることができるようになっている。
【００５０】
操作部１２は、利用者による入力操作を受け付けるためのキー群を有する操作パネルによって構成されている。この操作パネルには、複合機１の主要な機能を操作するために用意された機能キー、標準状態では何段階かの操作手順が必要となる機能について、事前に登録しておくことで、より簡易な手順（例えばワンタッチ操作）のみで同等の機能を利用できるようにするために用意されたワンタッチキー、表示部１３の表示領域内においてフォーカス（カーソル）を移動させる方向を指示するための方向キー、入力内容を確定するためのＯＫキー、入力内容を破棄するためのキャンセルキーなどが含まれている。
【００５１】
表示部１３は、利用者に対する情報の表示を行うために設けられたもので、数行の文字列および簡易な記号等を表示可能な液晶ディスプレイによって構成されている。
通信部１４は、ネットワークインターフェースカード（Network Interface Card；以下、ＮＩＣと略称する。）等によって構成され、ネットワーク５を介して通信を行うための処理を行っている。
【００５２】
電話通信部１５は、モデム等によって構成され、電話回線（図示略）を介して通信を行うための処理を行っている。なお、複合機１には、電話機能関連の構成として、ハンドセット（受話器）、本体内蔵スピーカ、アンプなども設けられている。
【００５３】
読取部１６は、自動原稿送り装置（Automatic Document Feeder；ＡＤＦ）にセットされた原稿またはフラットベッドのコンタクトガラス上に置かれた原稿から画像を読み取り、その画像を表す画像データを生成するもので、スキャナ機能による画像の読み取り、ファクシミリ機能による送信画像の読み取り等を行う際に作動するようになっている。
【００５４】
印刷部１７は、シート状の記録媒体（例えば記録用紙）に対して画像データの表す画像を印刷するもので、プリンタ機能による画像の印刷、ファクシミリ機能による受信画像の印刷、コピア機能によるコピー画像の印刷等を行う際に作動するようになっている。
【００５５】
記憶部１８は、ハードディスク装置等で構成され、複合機１が作動する上で必要となる情報等が、この記憶部１８に記憶されるようになっている。また、記憶部１８には、アプリケーション設定データ１８ａや印刷記事データベース１８ｂが格納されている。これらのデータについては、後で詳しく説明する。
【００５６】
メモリカードインターフェース１９は、メモリカード６にアクセスするために設けられた装置で、複合機１のメモリカードスロットにメモリカード６を装着した際に、複合機１は、メモリカードインターフェース１９を介してメモリカード６内のデータファイルにアクセスできるようになる。
【００５７】
［ｂｌｏｇサーバの構成］
次に、ｂｌｏｇサーバ２の構成について説明する。
ｂｌｏｇサーバ２は、制御部２１、通信部２２、記事情報記憶部２３、および記事情報配信部２４などを備えている。
【００５８】
制御部２１は、周知のＣＰＵ、ＲＯＭ、およびＲＡＭなどを中心に構成されている。制御部２１において、ＲＡＭにはＯＳ（Operating System）を構成するソフトウェアやサーバソフトウェアが読み込まれ、ＣＰＵがＯＳの制御下でサーバソフトウェアに従って各種処理を実行することにより、ｂｌｏｇサーバ２の各部が制御され、クライアントからの要求に応じた処理などを実行するようになっている。
【００５９】
通信部２２は、ＮＩＣ等によって構成され、ネットワーク５を介して通信を行うための処理を行っている。
記事情報記憶部２３は、ハードディスク装置等で構成され、ネットワーク５上の端末装置（本実施形態の場合は複合機１）から受信した記事（本実施形態の場合は、複合機１から送信されてくる画像）が、記事情報記憶部２３に蓄積されるようになっている。また、記事情報記憶部２３には、設定データ２３ａおよび登録記事データベース２３ｂを１組として、これらのデータが複数のユーザそれぞれに１組ずつ対応付けられて複数組分格納されている。これらのデータについては、後で詳しく説明する。
【００６０】
記事情報配信部２４は、ネットワーク５上の端末装置（例えば、複合機１）からの要求を受けたときに、記事情報記憶部２３に蓄積された記事等に基づいて、その記事を含むウェブページを動的に生成する処理を実行するとともに、生成したウェブページを通信部２２を介して要求元へ配信する処理を実行するようになっている。ここで生成されるウェブページには、このウェブページに対応付けられたトラックバック先アドレスが掲載され、また、このトラックバック先アドレス宛のトラックバック通知を受けている場合には、そのトラックバック元となる記事に割り当てられたアドレスが掲載されている。
【００６１】
［トラックバック先ｂｌｏｇサーバの構成］
次に、トラックバック先ｂｌｏｇサーバ３の構成について説明する。
トラックバック先ｂｌｏｇサーバ３は、制御部３１、通信部３２、記事情報記憶部３３、および記事情報配信部３４などを備えている。
【００６２】
制御部３１は、周知のＣＰＵ、ＲＯＭ、およびＲＡＭなどを中心に構成されている。制御部３１において、ＲＡＭにはＯＳを構成するソフトウェアやサーバソフトウェアが読み込まれ、ＣＰＵがＯＳの制御下でサーバソフトウェアに従って各種処理を実行することにより、トラックバック先ｂｌｏｇサーバ３の各部が制御され、クライアントからの要求に応じた処理などを実行するようになっている。
【００６３】
通信部３２は、ＮＩＣ等によって構成され、ネットワーク５を介して通信を行うための処理を行っている。
記事情報記憶部３３は、ハードディスク装置等で構成され、ネットワーク５上の端末装置（例えば、ＰＣ４）から受信した記事が、記事情報記憶部３３に蓄積されるようになっている。
【００６４】
記事情報配信部３４は、ネットワーク５上の端末装置（例えば、複合機１）からの要求を受けたときに、記事情報記憶部３３に蓄積された記事等に基づいて、その記事を含むウェブページを動的に生成する処理を実行するとともに、生成したウェブページを通信部３２を介して要求元へ配信する処理を実行するようになっている。ここで生成されるウェブページには、このウェブページに対応付けられたトラックバック先アドレスが掲載され、また、このトラックバック先アドレス宛のトラックバック通知を受けている場合には、そのトラックバック元となる記事に割り当てられたアドレスが掲載されている。
【００６５】
［ＰＣの構成］
次に、ＰＣ４の構成について説明する。
ＰＣ４は、制御部４１、入力部４２、表示部４３、通信部４４、および記憶部４５などを備えている。
【００６６】
制御部４１は、周知のＣＰＵ、ＲＯＭ、およびＲＡＭなどを中心に構成されている。この制御部４１において、ＲＯＭにはＢＩＯＳ（Basic Input Output System）や基本的ないくつかの設定データが記憶されている。また、ＲＡＭにはＯＳを構成するソフトウェアや各種アプリケーションなどのプログラムが記憶部４５から読み込まれる。そして、ＣＰＵがＲＯＭおよびＲＡＭに記憶されているプログラムに従って各種処理を実行することにより、ＰＣ４の各部が制御されるようになっている。なお、ＰＣ４のＯＳは、複数のウィンドウをＰＣ４の表示部４３に表示して、各ウィンドウ毎に様々な情報を表示するマルチウィンドウ機能を備えている。このようなマルチウィンドウ機能を持つＯＳの具体例としては、Ｗｉｎｄｏｗｓ（登録商標）、ＭａｃＯＳ（登録商標）などを挙げることができる。これらのＯＳによって提供される各種機能は公知なので、マルチウィンドウ機能についての詳細な説明は省略するが、以下の説明においては、ＰＣ４が、Ｗｉｎｄｏｗｓ（登録商標）によって提供されるマルチウィンドウ機能を含む各種機能を有するとの前提で説明を続ける。
【００６７】
入力部４２は、利用者が入力操作を行うために使用するキーボードおよびポインティングデバイス（例えば、マウス）によって構成されている。
表示部４３は、液晶ディスプレイによって構成されている。
【００６８】
通信部４４は、ＮＩＣ等によって構成され、ネットワーク５を介して通信を行うための処理を行っている。
記憶部４５は、ハードディスク装置等によって構成されたもので、この記憶部４５には、ＯＳ、各種アプリケーションプログラム、および各種データファイルが記憶されている。
【００６９】
［画像処理システム内で利用される各種データ］
次に、この画像処理システム内で利用される各種データについて説明する。
まず、複合機１の記憶部１８に格納されたアプリケーション設定データ１８ａおよび印刷記事データベース１８ｂについて説明する。
【００７０】
アプリケーション設定データ１８ａは、図２（ａ）に示すように、ＸＭＬ（eXtensible Markup Language）によって記述されたデータで、いくつかのデータがタグと呼ばれる文字列間に挟まれるかたちで記述されている。より具体的には、このアプリケーション設定データ１８ａ中には、データとして「ユーザＩＤ」、「サーバＵＲＬ」が含まれている。「ユーザＩＤ」の場合、“<ユーザＩＤ>”および“</ユーザＩＤ>”なる２組の文字列を一対のタグとして、この一対のタグ間に挟まれる位置に記述されており、図２（ａ）に示した例であれば、「ユーザＩＤ」は“３”となる。「サーバＵＲＬ」についても、「ユーザＩＤ」と同様、「サーバＵＲＬ」を示す一対のタグ間に挟まれる位置に記述されている。したがって、アプリケーション設定データ１８ａの中から「ユーザＩＤ」を取得したい場合であれば、まず「ユーザＩＤ」に対応するタグ“<ユーザＩＤ>”および“</ユーザＩＤ>”を探し出し、そのタグ間に記述されている文字列を抽出することにより、「ユーザＩＤ」を取得することができる。
【００７１】
このアプリケーション設定データ１８ａは、複合機１がｂｌｏｇサーバ２にアクセスする際に必要となるデータであり、「サーバＵＲＬ」は、ネットワーク５上においてｂｌｏｇサーバ２に割り当てられたアドレスで、複合機１は「サーバＵＲＬ」に基づいてｂｌｏｇサーバ２との通信を確立することができる。また、「ユーザＩＤ」は、複数のユーザそれぞれに割り当てられた識別子で、各ユーザ毎に異なるユニークな識別子となっている。「サーバＵＲＬ」に基づいてｂｌｏｇサーバ２との通信を確立した後、複合機１からｂｌｏｇサーバ２へは「ユーザＩＤ」が送信される。これにより、この「ユーザＩＤ」を受信したｂｌｏｇサーバ２側では、受信した「ユーザＩＤ」に基づいて１組の設定データ２３ａおよび登録記事データベース２３ｂを選択する処理などを実行できるようになる。
【００７２】
印刷記事データベース１８ｂも、図２（ｂ）に示すように、ＸＭＬによって記述されたデータである。この印刷記事データベース１８ｂ中には、複合機１において印刷した記事に関する何組かの記事情報（図２（ｂ）の例では３組の記事情報）が格納されている（１組の記事情報は、タグ“<記事>”および“</記事>”に挟まれた部分）。１組の記事情報中には、「ＵＲＬ」および「時刻」が格納されている。「ＵＲＬ」は複合機１において印刷した記事に対応するトラックバック先アドレスを示すデータであり、「時刻」は複合機１において記事を印刷した時刻を示すデータである。複合機１において、例えばトラックバック先ｂｌｏｇサーバ３にアクセスし、トラックバック先ｂｌｏｇサーバ３から配信される記事（ウェブページ）を印刷した際には、印刷した記事に対応する１組の記事情報が、印刷記事データベース１８ｂに追加登録されることになる。
【００７３】
次に、ｂｌｏｇサーバ２の記事情報記憶部２３に格納された設定データ２３ａおよび登録記事データベース２３ｂについて説明する。
設定データ２３ａも、図３（ａ）に示すように、ＸＭＬによって記述されたデータである。この設定データ２３ａ中には、データとして「ベースディレクトリ」、「プログラム」、「ｐａｇｅ」などが含まれている。「ベースディレクトリ」は、ユーザ毎に割り当てられたユニークなパス名を持つディレクトリ（そのユーザにとってのルートディレクトリ）を示すデータである。複合機１からｂｌｏｇサーバ２へ記事をアップロードした際には、この「ベースディレクトリ」よりも下位のディレクトリに記事がアップロードされることになる。「プログラム」は、ｂｌｏｇサーバ２において稼働するｂｌｏｇプログラムの名称である。複合機１からｂｌｏｇサーバ２へ記事をアップロードする際には、複合機１側から「プログラム」の示すプログラム名をＵＲＬに含めて指定することにより、ｂｌｏｇサーバ２側でｂｌｏｇプログラムを起動させることができる。「ｐａｇｅ」は、複合機１からｂｌｏｇサーバ２へ記事をアップロードする毎にカウントアップされるカウンタ値を示すデータである。このカウンタ値は、複合機１からｂｌｏｇサーバ２へアップロードされた記事に対して割り当てられるアドレスの一部としても利用される。これにより、複合機１からｂｌｏｇサーバ２へ複数の記事がアップロードされた場合に、各記事に割り当てられるアドレス（ＵＲＬ）が重複しないようになっている。
【００７４】
登録記事データベース２３ｂも、図３（ｂ）に示すように、ＸＭＬによって記述されたデータである。この登録記事データベース２３ｂ中には、複合機１からｂｌｏｇサーバ２へアップロードされた記事に関する何組かの記事情報（図３（ｂ）の例では３組の記事情報）が格納されている。１組の記事情報中には、「ＵＲＬ」および「時刻」が格納されている。「ＵＲＬ」はｂｌｏｇサーバ２へアップロードされた記事に対して割り当てられたアドレスを示すデータであり、「時刻」はｂｌｏｇサーバ２へ記事をアップロードした時刻を示すデータである。複合機１からｂｌｏｇサーバ２へ記事をアップロードした際には、アップロードした記事に対応する１組の記事情報が、登録記事データベース２３ｂに追加登録されることになる。
【００７５】
次に、ＰＣ４の記憶部４５またはメモリカード６などに格納されるトラックバックリストについて説明する。
このトラックバックリストも、図４に示すように、ＸＭＬによって記述されたデータである。このトラックバックリストは、複合機１やＰＣ４において、利用者が任意に編集可能なデータである。このトラックバックリスト中には、トラックバック先アドレスに関する何組かのトラックバック先情報（図４の例では３組のトラックバック先情報）が格納され、１組のトラックバック先情報中には、「ＵＲＬ」および「登録時刻」が格納されている。「ＵＲＬ」はトラックバック先アドレスを示すデータであり、「登録時刻」は１組のトラックバック先情報をトラックバックリストに登録した時刻を示すデータである。
【００７６】
［画像処理システム内の各機器が実行する処理］
次に、画像処理システム内の各機器が実行する処理について、図５〜図２１に基づいて説明する。
【００７７】
［複合機処理］
図５は、複合機１の起動に伴って実行される複合機処理のフローチャートである。
この処理を開始すると、複合機１は、図５に示すように、まず、コマンド入力を受け付ける（Ｓ１０５）。ここで、利用者は、操作部１２におけるキー操作により、コマンドを入力することができる。
【００７８】
Ｓ１０５の処理においてコマンドの入力を受けたら、複合機１は、ｂｌｏｇデータ登録処理を指示するコマンドであるか否かを判断し（Ｓ１１０）、ｂｌｏｇデータ登録処理を指示するコマンドであった場合は（Ｓ１１０：ＹＥＳ）、ｂｌｏｇデータ登録処理を実行する（Ｓ１１５）。このｂｌｏｇデータ登録処理の詳細については後述する。そして、ｂｌｏｇデータ登録処理を終えたら、Ｓ１０５の処理へと戻る。
【００７９】
また、Ｓ１１０の処理において、ｂｌｏｇデータ登録処理を指示するコマンドでなければ（Ｓ１１０：ＮＯ）、複合機１は、記事印刷を指示するコマンドであるか否かを判断し（Ｓ１２０）、記事印刷を指示するコマンドであった場合は（Ｓ１２０：ＹＥＳ）、印刷記事登録処理を実行する（Ｓ１２５）。この印刷記事登録処理の詳細については後述する。そして、印刷記事登録処理を終えたら、Ｓ１０５の処理へと戻る。
【００８０】
また、Ｓ１２０の処理において、記事印刷を指示するコマンドでなければ（Ｓ１２０：ＮＯ）、複合機１は、トラックバック先アドレスの入力を指示するコマンドであるか否かを判断し（Ｓ１３０）、トラックバック先アドレスの入力を指示するコマンドであった場合は（Ｓ１３０：ＹＥＳ）、メモリカード内データ処理を実行する（Ｓ１３５）。このメモリカード内データ処理の詳細については後述する。そして、メモリカード内データ処理を終えたら、Ｓ１０５の処理へと戻る。
【００８１】
さらに、Ｓ１３０の処理において、トラックバック先アドレスの入力を指示するコマンドでなければ（Ｓ１３０：ＮＯ）、その他の処理を実行する（Ｓ１４０）。その他の処理には、複合機１において実行される様々な処理が含まれるが、いずれの処理も本発明の要部に関連する処理ではないので詳細な説明については省略する。その他の処理を終えた場合も、Ｓ１０５の処理へと戻る。
【００８２】
以上説明した通り、Ｓ１１５、Ｓ１２５、Ｓ１３５、Ｓ１４０の各処理を終えると、いずれの場合ともＳ１０５の処理へと戻るので、複合機１は、再びＳ１０５以降の処理を繰り返し実行することになる。
【００８３】
［ｂｌｏｇデータ登録処理］
次に、ｂｌｏｇデータ登録処理（図５中のＳ１１５の処理）の詳細について説明する。
図６は、ｂｌｏｇデータ登録処理のフローチャートである。
【００８４】
この処理を開始すると、複合機１は、図６に示すように、まず、表示部１３にトラックバックを行うかどうかのメッセージを表示し（Ｓ２０５）、利用者からトラックバックを行うかどうかの入力を受け付ける（Ｓ２１０）。ここで、利用者は、操作部１２におけるキー操作により、トラックバックを行うかどうかを任意に入力することができる。
【００８５】
Ｓ２１０の処理において利用者による入力を受けたら、複合機１は、トラックバックを行うか否かを判断し（Ｓ２１５）、トラックバックを行う場合は（Ｓ２１５：ＹＥＳ）、トラックバック先アドレス取得処理を実行する（Ｓ２２０）。このトラックバック先アドレス取得処理の詳細については後述するが、トラックバック先アドレス取得処理では、トラックバック先アドレスを１つ取得できるか１つも取得できないか、いずれかの状態になる。
【００８６】
そこで、複合機１は、トラックバック先アドレス取得処理において取得できたトラックバック先アドレスが存在するか否かを判断し（Ｓ２２５）、トラックバック先アドレスを取得できていれば（Ｓ２２５：ＹＥＳ）、表示部１３に、トラックバック元が新規記事か登録済みの記事かを利用者に問い合わせるメッセージを表示し、操作部１２から利用者の入力を受ける（Ｓ２３０）。ここで、今からｂｌｏｇサーバ２へアップロードしようとしている記事（画像）に割り当てられるアドレスをトラックバック元アドレスとしたい場合、利用者は新規記事である旨の入力操作を行う。また、既にｂｌｏｇサーバ２へアップロード済みの記事（画像）に割り当てられたアドレスをトラックバック元アドレスとしたい場合、利用者は登録済み記事である旨の入力操作を行う。
【００８７】
Ｓ２３０の処理において利用者による入力を受けたら、複合機１は、利用者の入力が新規記事である旨の入力か否かを判断し（Ｓ２３５）、新規記事であれば（Ｓ２３５：ＹＥＳ）、アップロード処理を実行する（Ｓ２４０）。このアップロード処理の詳細については後述するが、アップロード処理を終えた場合は、複合機１からｂｌｏｇサーバ２へ新規記事がアップロードされることになる。また、その新規記事に割り当てられたアドレスをトラックバック元アドレス、Ｓ２２０の処理で取得したアドレスをトラックバック先アドレスとするトラックバック通知の送信を、ｂｌｏｇサーバ２に対して要求することになる。そして、Ｓ２４０のアップロード処理を終えた後は、図６に示したｂｌｏｇデータ登録処理を終了する。
【００８８】
一方、Ｓ２１５の処理における判断の結果、トラックバックを行わない場合（Ｓ２１５：ＮＯ）、もしくは、Ｓ２２５の処理における判断の結果、トラックバック先アドレスを取得できていない場合には（Ｓ２２５：ＮＯ）、上記Ｓ２２０、Ｓ２３０、Ｓ２３５の各処理をスキップして、上記Ｓ２４０のアップロード処理を実行する。上述の通り、アップロード処理の詳細については後述するが、Ｓ２１５、Ｓ２２５の各処理で否定判断がなされている場合は、各処理で肯定判断がなされた場合とは、アップロード処理の内容が若干変わる。具体的には、いずれの場合とも、アップロード処理の実行により、複合機１からｂｌｏｇサーバ２へ新規記事がアップロードされることになる点は同じであるが、Ｓ２１５、Ｓ２２５の各処理で否定判断がなされている場合は、「トラックバック通知の送信を複合機１からｂｌｏｇサーバ２に対して要求する処理」が実行されない。そして、Ｓ２４０のアップロード処理を終えた後は、図６に示したｂｌｏｇデータ登録処理を終了する。
【００８９】
さて一方、Ｓ２３５の処理における判断の結果が、新規記事のアップロードではない場合もあり（Ｓ２３５：ＮＯ）、この場合は、上記Ｓ２４０のアップロード処理を実行せず、その代わりにＳ２４５〜Ｓ２６０の処理を実行する。
【００９０】
すなわち、まず、複合機１がｂｌｏｇサーバ２にアクセスし、登録記事データベース２３ｂからトラックバック元アドレスの一覧を取得する（Ｓ２４５）。より詳しくは、複合機１は、まずｂｌｏｇサーバ２に対してトラックバック元アドレスの一覧を提供するように要求する。この要求の際、複合機１は、記憶部１８に記憶されたアプリケーション設定データ１８ａから、「ユーザＩＤ」と「サーバＵＲＬ」を読み出し、「サーバＵＲＬ」が示すアドレスを送信先として、「ユーザＩＤ」を含むデータをｂｌｏｇサーバ２に対して送信する。このデータを受信したｂｌｏｇサーバ２では、受信したデータに含まれる「ユーザＩＤ」に基づいて、記事情報記憶部２３の中に複数組記憶されているデータセットの中から１組のデータセットを特定し、特定された１組のデータセットに含まれる登録記事データベース２３ｂを読み出して、複合機１へと送信する。その結果、複合機１側では、登録記事データベース２３ｂに相当するデータを受信することになり、その中からトラックバック元アドレスの一覧を取得することができる。
【００９１】
こうしてトラックバック元アドレスの一覧を取得したら、複合機１は、取得したトラックバック元アドレスの一覧を、表示部１３に表示し（Ｓ２５０）、複合機１の操作部１２から利用者によるトラックバック元アドレスを選択を受け付ける（Ｓ２５５）。ここで、利用者は、操作部１２におけるキー操作により、一覧表示されたトラックバック元アドレスの中から１つのトラックバック元アドレスを任意に選択することができる。
【００９２】
Ｓ２５５の処理において利用者による入力を受けたら、複合機１は、選択されたトラックバック元アドレスを基にｂｌｏｇサーバ２にトラックバックを要求する（Ｓ２６０）。より具体的には、Ｓ２５５の処理において選択されたアドレスをトラックバック元アドレス、Ｓ２２０の処理で取得したアドレスをトラックバック先アドレスとするトラックバック通知の送信を、ｂｌｏｇサーバ２に対して要求することになる。そして、Ｓ２６０の処理を終えた後は、図６に示したｂｌｏｇデータ登録処理を終了する。
【００９３】
［トラックバック先アドレス取得処理］
次に、トラックバック先アドレス取得処理（図６中のＳ２２０の処理）の詳細について説明する。
【００９４】
図７は、トラックバック先アドレス取得処理のフローチャートである。
この処理を開始すると、複合機１は、図７に示すように、まず、表示部１３にトラックバック先アドレス取得処理方法を一覧表示し（Ｓ３０５）、操作部１２において利用者が入力したトラックバック先アドレス取得処理方法を得る（Ｓ３１０）。トラックバック先アドレス取得処理方法としては、５種類の方法（取得処理１〜５）が用意されており、Ｓ３１０の処理において、利用者は、操作部１２におけるキー操作により、取得処理１〜５の中からいずれか１つの取得処理方法を選択することができる。
【００９５】
続いて、複合機１は、Ｓ３１０の処理において選択された取得処理方法が、取得処理１であるか否かを判断し（Ｓ３２０）、取得処理１が選択されていれば（Ｓ３２０：ＹＥＳ）、取得処理１を実行する（Ｓ３２５）。この取得処理１の詳細については後述する。Ｓ３２５の取得処理１を終えたら、図７に示したトラックバック先アドレス取得処理を終了する。
【００９６】
また、取得処理１が選択されていなければ（Ｓ３２０：ＮＯ）、Ｓ３１０の処理において選択された取得処理方法が、取得処理２であるか否かを判断し（Ｓ３３０）、取得処理２が選択されていれば（Ｓ３３０：ＹＥＳ）、取得処理２を実行する（Ｓ３３５）。この取得処理２の詳細については後述する。Ｓ３３５の取得処理２を終えたら、図７に示したトラックバック先アドレス取得処理を終了する。
【００９７】
また、取得処理２が選択されていなければ（Ｓ３３０：ＮＯ）、Ｓ３１０の処理において選択された取得処理方法が、取得処理３であるか否かを判断し（Ｓ３４０）、取得処理３が選択されていれば（Ｓ３４０：ＹＥＳ）、取得処理３を実行する（Ｓ３４５）。この取得処理３の詳細については後述する。Ｓ３４５の取得処理３を終えたら、図７に示したトラックバック先アドレス取得処理を終了する。
【００９８】
また、取得処理３が選択されていなければ（Ｓ３４０：ＮＯ）、Ｓ３１０の処理において選択された取得処理方法が、取得処理４であるか否かを判断し（Ｓ３５０）、取得処理４が選択されていれば（Ｓ３５０：ＹＥＳ）、取得処理４を実行する（Ｓ３５５）。この取得処理４の詳細については後述する。Ｓ３５５の取得処理４を終えたら、図７に示したトラックバック先アドレス取得処理を終了する。
【００９９】
また、取得処理４が選択されていなければ（Ｓ３５０：ＮＯ）、取得処理５を実行する（Ｓ３６０）。この取得処理５の詳細については後述する。Ｓ３６０の取得処理５を終えたら、図７に示したトラックバック先アドレス取得処理を終了する。
【０１００】
［取得処理１］
次に、取得処理１（図７中のＳ３２５の処理）の詳細について説明する。
取得処理１は、複合機１が、自機内にある印刷記事データベース１８ｂを参照して、トラックバック先アドレスを取得する処理となっている。図８は、取得処理１のフローチャートである。
【０１０１】
この処理を開始すると、複合機１は、図８に示すように、まず、記憶部１８に格納されている印刷記事データベース１８ｂを参照し（Ｓ４０５）、複合機１において印刷を行ったサイトのトラックバック先アドレスを得る（Ｓ４１０）。
【０１０２】
印刷記事データベース１８ｂには、既に説明した通り、複合機１において、トラックバック先となるサーバ（例えばトラックバック先ｂｌｏｇサーバ３）にアクセスし、そのサーバから配信される記事（ウェブページ）を印刷する毎に、印刷した記事に対応する１組の記事情報が追加登録されるようになっている（図２（ｂ）参照）。この記事印刷時の処理に関しては、後述する印刷記事登録処理（図１９参照）の説明の中で詳細に説明する。Ｓ４１０の処理では、印刷記事データベース１８ｂに１組以上の記事情報が登録されていれば、その１組以上の記事情報すべてに相当するトラックバック先アドレスが取得される。
【０１０３】
続いて、複合機１は、Ｓ４１０の処理で取得したトラックバック先アドレスが少なくとも１つは存在するか否かを判断する（Ｓ４１５）。そして、トラックバック先アドレスが少なくとも１つは存在する場合（Ｓ４１５：ＹＥＳ）、複合機１は、表示部１３にトラックバック先アドレスの一覧を表示して（Ｓ４２０）、利用者によるトラックバック先アドレスの選択を受ける（Ｓ４２５）。
【０１０４】
Ｓ４２０の処理により、表示部１３には、図９に示すように、１件分のトラックバック先に関する情報（見出し、トラックバック先アドレス、登録時刻等）が表示される。このとき、複数件分のトラックバック先に関する情報が存在する場合には、表示部１３の右端に三角形のマークが表示される。この三角形のマークが表示された場合には、操作部１２にある上下の方向キーを操作すると、さらに次の１件分のトラックバック先に関する情報を表示することができる。利用者は、操作部１２におけるキー操作により、１件分ずつ表示部１３にトラックバック先に関する情報を表示させることができ、その内容を見て任意に１つのトラックバック先アドレスを選択することができる。
【０１０５】
Ｓ４２５の処理において、利用者が１つのトラックバック先アドレスを選択したら、複合機１の操作部１２を操作して選択されたトラックバック先アドレスを、取得処理１を実行した上位側の処理（図７に示したトラックバック先アドレス取得処理）へと返して（Ｓ４３０）、取得処理１を終了する。
【０１０６】
一方、Ｓ４１５の処理における判断の結果、トラックバック先アドレスが１つも存在しない場合（Ｓ４１５：ＮＯ）、複合機１は、トラックバック先アドレスが存在しないことを、取得処理１を実行した上位側の処理（図７に示したトラックバック先アドレス取得処理）へと返して（Ｓ４３５）、取得処理１を終了する。
【０１０７】
以上の取得処理１の結果、図７に示したトラックバック先アドレス取得処理へは、１つのトラックバック先アドレスが返されるか、あるいは、１つもトラックバック先アドレスが返されないことになる。
【０１０８】
［取得処理２］
次に、取得処理２（図７中のＳ３３５の処理）の詳細について説明する。
取得処理１は、利用者が複合機１の操作部１２から直接入力するトラックバック先アドレスを取得する処理となっている。図１０は、取得処理２のフローチャートである。
【０１０９】
この処理を開始すると、複合機１は、図１０に示すように、まず、表示部１３にトラックバック先アドレスの入力を促すメッセージを表示し（Ｓ５０５）、利用者によるトラックバック先アドレスの入力を受ける（Ｓ５１０）。このとき、表示部１３には、図１１に示すようなトラックバック先アドレス入力用の画面が表示され、利用者は、操作部１２におけるキー操作により、トラックバック先アドレスを入力することができる。
【０１１０】
Ｓ５１０の処理においてトラックバック先アドレスの入力を受けたら、引き続いて、複合機１は、操作部１２より入力された文字列が空であるか否かを判断し（Ｓ５１５）、何らかの文字列が入力されている場合には（Ｓ５１５：ＮＯ）、複合機１の操作部１２より入力されたトラックバック先アドレスを、取得処理２を実行した上位側の処理（図７に示したトラックバック先アドレス取得処理）へと返して（Ｓ５２０）、取得処理２を終了する。
【０１１１】
一方、Ｓ５１５の処理における判断の結果、操作部１２より入力された文字列が空であった場合には（Ｓ５１５：ＹＥＳ）、トラックバック先アドレスが存在しないことを、取得処理２を実行した上位側の処理（図７に示したトラックバック先アドレス取得処理）へと返して（Ｓ５２５）、取得処理２を終了する。
【０１１２】
以上の取得処理２の結果、図７に示したトラックバック先アドレス取得処理へは、１つのトラックバック先アドレスが返されるか、あるいは、１つもトラックバック先アドレスが返されないことになる。
【０１１３】
［取得処理３］
次に、取得処理３（図７中のＳ３４５の処理）の詳細について説明する。
取得処理３は、ＰＣ４との通信によってトラックバック先アドレスを取得する処理となっている。図１２は、取得処理３のフローチャートである。
【０１１４】
この処理を開始すると、複合機１は、図１２に示すように、まず、複合機１とＰＣ４がネットワーク５を介して接続された状態にあるか否かを判断する（Ｓ６０５）。ここでは、複合機１からＰＣ４に対して応答要求を送信し、その応答要求に対する応答がＰＣ４から返されれば、複合機１とＰＣ４が接続されていると判断する。複合機１とＰＣ４が接続されていた場合（Ｓ６０５：ＹＥＳ）、複合機１は、ＰＣ４に対しトラックバック先アドレスの入力を要求する（Ｓ６１０）。
【０１１５】
ここで、一旦、Ｓ６１０の処理による要求を受けたＰＣ４側で実行されるアドレス取得処理について説明する。図１３は、ＰＣ４側で実行されるアドレス取得処理のフローチャートである。
【０１１６】
ＰＣ４が複合機１から上記Ｓ６１０の処理による要求を受けると、図１３に示すように、まず、ＰＣ４の表示部４３にウィンドウを表示し、トラックバック先アドレスを入力するようメッセージを出す（Ｓ７０５）。このＳ７０５の処理により、ＰＣ４の表示部４３には、図１４に示すウィンドウ７１が表示される。このウィンドウ７１には、アドレス（ＵＲＬ）の入力方法として「ＵＲＬの手入力」または「ファイルからの選択」を利用者に択一的に選択させるためのラジオボタン７３、ラジオボタン７３で「ＵＲＬの手入力」を選択した場合に使用するＵＲＬ入力欄７５、ラジオボタン７３で「ファイルからの選択」を選択した場合に使用するパス名入力欄７７、パス名入力欄７７へ入力するパス名をＧＵＩを利用して選択したい場合に押下される参照ボタン７９、ウィンドウ７１における入力内容を確定したい場合に押下される決定ボタン８１、およびウィンドウ７１における入力内容を破棄したい場合に押下されるキャンセルボタン８３などが設けられている。
【０１１７】
このウィンドウ７１を表示したら、ＰＣ４は、利用者による入力を受ける状態になる（Ｓ７１０）。ここで、利用者は、入力部４２における操作により、ラジオボタン７３による選択、ＵＲＬ入力欄７５またはパス名入力欄７７への入力、参照ボタン７９、決定ボタン８１、およびキャンセルボタン８３の押下操作等を行うことができる。そして、決定ボタン８１またはキャンセルボタン８３の押下操作を行った場合に、Ｓ７１０の処理を終えることになる。
【０１１８】
Ｓ７１０の処理を終えたら、ＰＣ４は、利用者の入力は決定であったか否かを判断する（Ｓ７１５）。このＳ７１５の処理では、決定ボタン８１の押下操作に伴ってＳ７１０の処理を終えていた場合には、利用者の入力は決定であったと判断され、一方、キャンセルボタン８３の押下操作に伴ってＳ７１０の処理を終えていた場合には、利用者の入力は決定ではなかったと判断されることになる。
【０１１９】
Ｓ７１５の処理における判断の結果、利用者の入力が決定であった場合（Ｓ７１５：ＹＥＳ）、ＰＣ４は、ラジオボタン７３による選択結果に基づいて、トラックバック先アドレスの入力方法が手入力であるか否かを判断する（Ｓ７２０）。
【０１２０】
このＳ７２０の処理における判断の結果、トラックバック先アドレスの入力方法が手入力であった場合は（Ｓ７２０：ＹＥＳ）、利用者が手入力でＵＲＬ入力欄７５に入力したアドレスを、トラックバック先アドレスとして複合機１側へ返し（Ｓ７２５）、図１３に示したアドレス取得処理を終了する。
【０１２１】
一方、Ｓ７２０の処理における判断の結果、トラックバック先アドレスの入力方法が手入力でなかった場合は（Ｓ７２０：ＮＯ）、利用者がパス名入力欄７７で指定したパス名を持つファイルからの入力を受け（Ｓ７３０）、そのファイルの内部に記述されているアドレス（トラックバック先情報）を取得する（Ｓ７３５）。パス名入力欄７７において指定可能なファイルは、図４に示したようなデータ構造を持つトラックバックリストファイルであり、この中には、複数組のトラックバック先情報が格納されている。Ｓ７３５の処理により、ＰＣ４は、ファイル内にある複数組のトラックバック先情報すべてを取得する。そして、Ｓ７３５の処理を終えたら、ＰＣ４は、取得したアドレス（ファイル内にあったすべてのトラックバック先情報）をトラックバック先アドレスとして複合機１側へ返し（Ｓ７４０）、図１３に示したアドレス取得処理を終了する。
【０１２２】
さらに、Ｓ７１５の処理における判断の結果、利用者の入力が決定ではなかった場合（Ｓ７１５：ＮＯ）、ＰＣ４は、トラックバック先アドレスが存在しないことを、複合機１側へ返し（Ｓ７４５）、図１３に示したアドレス取得処理を終了する。
【０１２３】
以上のような処理がＰＣ４側で実行される結果、ＰＣ４から複合機１へは、１または２以上のトラックバック先アドレスが応答として返されるか、あるいは、１つもトラックバック先アドレスがない旨の情報が応答として返されることになる。以下、複合機１側の処理（図１２に示した取得処理３）の説明に話を戻す。
【０１２４】
ＰＣ４側から上記いずれかの応答が返されると、複合機１は、ＰＣ４からの返答を受ける（Ｓ６１５）。そして、まずは、ＰＣ４からの返答に基づいて、ＰＣ４より取得したトラックバック先アドレスの文字列が空であるか否かを判断する（Ｓ６２０）。
【０１２５】
ここで、１または２以上のトラックバック先アドレスが、ＰＣ４から複合機１へ応答として返されていれば、ＰＣ４より取得したトラックバック先アドレスの文字列が空ではないと判断される（Ｓ６２０：ＮＯ）。この場合、複合機１は、複合機１の表示部１３にトラックバック先アドレスの一覧を表示し（Ｓ６２５）、利用者によるトラックバック先アドレスの選択を受ける（Ｓ６３０）。
【０１２６】
Ｓ６２５の処理により、表示部１３には、Ｓ４２０の処理の場合と同様、図９に示すような、１件分のトラックバック先に関する情報表示がなされることになる。また、複数件分のトラックバック先に関する情報をＰＣ４から取得した場合には、表示部１３の右端に三角形のマークが表示され、利用者は、操作部１２におけるキー操作により、１件分ずつ表示部１３にトラックバック先に関する情報を表示させることができる。Ｓ６３０の処理においては、表示部１３に表示された内容を見て、利用者が任意に１つのトラックバック先アドレスを選択することができる。
【０１２７】
Ｓ６３０の処理において、利用者が１つのトラックバック先アドレスを選択したら、複合機１の操作部１２を操作して選択されたトラックバック先アドレスを、取得処理３を実行した上位側の処理（図７に示したトラックバック先アドレス取得処理）へと返して（Ｓ６３５）、取得処理３を終了する。
【０１２８】
一方、Ｓ６２０の処理における判断の結果、ＰＣ４より取得したトラックバック先アドレスの文字列が空であると判断された場合（Ｓ６２０：ＹＥＳ）、複合機１は、トラックバック先アドレスが存在しないことを、取得処理３を実行した上位側の処理（図７に示したトラックバック先アドレス取得処理）へと返して（Ｓ６４０）、取得処理３を終了する。
【０１２９】
以上の取得処理３の結果、図７に示したトラックバック先アドレス取得処理へは、１つのトラックバック先アドレスが返されるか、あるいは、１つもトラックバック先アドレスが返されないことになる。
【０１３０】
［取得処理４］
次に、取得処理４（図７中のＳ３５５の処理）の詳細について説明する。
取得処理４は、メモリカード６に格納されたトラックバックリストから、トラックバック先アドレスを取得する処理となっている。図１５は、取得処理４のフローチャートである。
【０１３１】
この処理を開始すると、複合機１は、図１５に示すように、まず、複合機１にメモリカード６が挿入されているか否かを判断する（Ｓ８０５）。複合機１にメモリカード６が挿入されていた場合（Ｓ８０５：ＹＥＳ）、複合機１は、挿入されたメモリカード６より、トラックバック先アドレスの抽出を行う（Ｓ８１０）。
【０１３２】
メモリカード６内に格納されたファイルは、図４に示したようなデータ構造を持つトラックバックリストファイルであり、この中には、複数組のトラックバック先情報が格納されている。Ｓ８１０の処理により、複合機１は、ファイル内にある複数組のトラックバック先情報すべてを抽出する。
【０１３３】
続いて、複合機１は、メモリカード６より抽出したトラックバック先アドレスが存在しないか否かを判断する（Ｓ８１５）。ここで、１または２以上のトラックバック先アドレスが、メモリカード６より抽出されている場合（Ｓ８１５：ＮＯ）、複合機１は、複合機１の表示部１３にトラックバック先アドレスの一覧を表示し（Ｓ８２０）、利用者によるトラックバック先アドレスの選択を受ける（Ｓ８２５）。
【０１３４】
Ｓ８２０の処理により、表示部１３には、Ｓ４２０、Ｓ６２５の処理の場合と同様、図９に示すような、１件分のトラックバック先に関する情報表示がなされることになる。また、複数件分のトラックバック先に関する情報をメモリカード６から抽出した場合には、表示部１３の右端に三角形のマークが表示され、利用者は、操作部１２におけるキー操作により、１件分ずつ表示部１３にトラックバック先に関する情報を表示させることができる。Ｓ８２５の処理においては、表示部１３に表示された内容を見て、利用者が任意に１つのトラックバック先アドレスを選択することができる。
【０１３５】
Ｓ８２５の処理において、利用者が１つのトラックバック先アドレスを選択したら、複合機１の操作部１２を操作して選択されたトラックバック先アドレスを、取得処理４を実行した上位側の処理（図７に示したトラックバック先アドレス取得処理）へと返して（Ｓ８３０）、取得処理４を終了する。
【０１３６】
一方、Ｓ８０５の処理における判断の結果、複合機１にメモリカード６が挿入されていないと判断された場合（Ｓ８０５：ＮＯ）、あるいは、Ｓ８１５の処理における判断の結果、トラックバック先アドレスがメモリカード６より１つも抽出されていなかった場合（Ｓ８１５：ＹＥＳ）、複合機１は、トラックバック先アドレスが存在しないことを、取得処理４を実行した上位側の処理（図７に示したトラックバック先アドレス取得処理）へと返して（Ｓ８３５）、取得処理４を終了する。
【０１３７】
以上の取得処理４の結果、図７に示したトラックバック先アドレス取得処理へは、１つのトラックバック先アドレスが返されるか、あるいは、１つもトラックバック先アドレスが返されないことになる。
【０１３８】
［取得処理５］
次に、取得処理５（図７中のＳ３６０の処理）の詳細について説明する。
取得処理５は、読取部１６において読み取った画像から、トラックバック先アドレスを取得する処理となっている。図１６は、取得処理５のフローチャートである。
【０１３９】
この処理を開始すると、複合機１は、図１６に示すように、まず、読取対象（原稿）の読取部１６へのセットを促すメッセージを表示部１３に表示し（Ｓ９０５）、読取対象をセットしたことを操作部１２より受ける（Ｓ９１０）。ここで、利用者は、読取対象を読取部１６にセットして、操作部１２において読取対象をセットした旨の操作を行うことができる。
【０１４０】
利用者が読取対象をセットした旨の操作を行うと、複合機１は、読取部１６にセットされた読取対象をスキャンして（Ｓ９１５）、ＯＣＲソフトを利用し、スキャンデータ内に含まれるアドレスをトラックバック先アドレスとして取得する（Ｓ９２０）。なお、読取対象には、例えば、文字、バーコード、二次元コード等のいずれかによって表現されたアドレスが記録され、ＯＣＲソフトは、その文字、バーコード、二次元コード等のいずれかに対応するものが用いられている。
【０１４１】
Ｓ９２０の処理を終えたら、複合機１は、読取部１６より取得したトラックバック先アドレスが存在しないか否かを判断する（Ｓ９２５）。ここで、１または２以上のトラックバック先アドレスが、読取部１６より取得できている場合（Ｓ９２５：ＮＯ）、複合機１は、複合機１の表示部１３にトラックバック先アドレスの一覧を表示し（Ｓ９３０）、利用者によるトラックバック先アドレスの選択を受ける（Ｓ９３５）。
【０１４２】
Ｓ９３０の処理により、表示部１３には、Ｓ４２０、Ｓ６２５、Ｓ８２０の処理の場合と同様、図９に示すような、１件分のトラックバック先に関する情報表示がなされることになる。また、複数件分のトラックバック先に関する情報を読取部１６から取得した場合には、表示部１３の右端に三角形のマークが表示され、利用者は、操作部１２におけるキー操作により、１件分ずつ表示部１３にトラックバック先に関する情報を表示させることができる。Ｓ９３５の処理においては、表示部１３に表示された内容を見て、利用者が任意に１つのトラックバック先アドレスを選択することができる。
【０１４３】
Ｓ９３５の処理において、利用者が１つのトラックバック先アドレスを選択したら、複合機１の操作部１２を操作して選択されたトラックバック先アドレスを、取得処理５を実行した上位側の処理（図７に示したトラックバック先アドレス取得処理）へと返して（Ｓ９４０）、取得処理５を終了する。
【０１４４】
一方、Ｓ９２５の処理における判断の結果、読取部１６より取得したトラックバック先アドレスが１つも存在しなかった場合（Ｓ９２５：ＹＥＳ）、複合機１は、トラックバック先アドレスが存在しないことを、取得処理５を実行した上位側の処理（図７に示したトラックバック先アドレス取得処理）へと返して（Ｓ９４５）、取得処理５を終了する。
【０１４５】
以上の取得処理５の結果、図７に示したトラックバック先アドレス取得処理へは、１つのトラックバック先アドレスが返されるか、あるいは、１つもトラックバック先アドレスが返されないことになる。
【０１４６】
［アップロード処理］
次に、アップロード処理（図６中のＳ２４０の処理）の詳細について説明する。
図１７は、アップロード処理のフローチャートである。
【０１４７】
この処理を開始すると、複合機１は、図１７に示すように、まず、読取対象（原稿）の読取部１６へのセットを促すメッセージを表示部１３に表示し（Ｓ１００５）、読取対象をセットしたことを操作部１２より受ける（Ｓ１０１０）。ここで、利用者は、読取対象を読取部１６にセットして、操作部１２において読取対象をセットした旨の操作を行うことができる。
【０１４８】
利用者が読取対象をセットした旨の操作を行うと、複合機１は、読取部１６にセットされた読取対象をスキャンする（Ｓ１０１５）。そして、ｂｌｏｇサーバ２にアクセスするためのアドレスとユーザＩＤを、記憶部１８内のアプリケーション設定データ１８ａより取得して（Ｓ１０２０）、ｂｌｏｇサーバ２にアクセスし、ｂｌｏｇサーバ２より画像（記事）のアップロード先となるアドレスを取得する（Ｓ１０２５）。
【０１４９】
続いて、複合機１は、トラックバック先アドレスが入力されているか否かを判断する（Ｓ１０３０）。このＳ１０３０の処理では、上述したＳ２２０の処理において１つのトラックバック先アドレスを取得できている場合に、トラックバック先アドレスが入力されていると判断される。
【０１５０】
Ｓ１０３０の処理による判断の結果、トラックバック先アドレスが入力されていた場合には（Ｓ１０３０：ＹＥＳ）、読取部１６においてスキャンした画像データ（記事）をトラックバック先アドレスとともにｂｌｏｇサーバ２にアップロードして（Ｓ１０３５）、アップロード処理を終了する。
【０１５１】
一方、Ｓ１０３０の処理による判断の結果、トラックバック先アドレスが入力されていなかった場合には（Ｓ１０３０：ＮＯ）、読取部１６においてスキャンした画像データ（記事）のみをｂｌｏｇサーバ２にアップロードして（Ｓ１０４０）、アップロード処理を終了する。
【０１５２】
なお、以上のようなアップロード処理が複合機１側において実行されると、ｂｌｏｇサーバ２側ではｂｌｏｇサーバ処理が実行される。以下、ｂｌｏｇサーバ処理について説明する。図１８は、ｂｌｏｇサーバ処理のフローチャートである。
【０１５３】
このｂｌｏｇサーバ処理を開始すると、ｂｌｏｇサーバ２は、複合機１のアップロード処理時に送信されたコマンド（上記Ｓ１０３５またはＳ１０４０において複合機１からｂｌｏｇサーバ２へ送信されるデータ）を受信する（Ｓ１１０５）。そして、受信したコマンド中に含まれているユーザＩＤを基に、複合機１よりアップロードされた画像（記事）を記事情報記憶部２３の登録記事データベース２３ｂに保存する（Ｓ１１１０）。
【０１５４】
続いて、ｂｌｏｇサーバ２は、設定データ２３ａの要素である「Ｐａｇｅ」の値を１だけ増やす（Ｓ１１１５）。これにより、次にアップロードされる画像（記事）を、アップロード済みの画像（記事）を上書きしないような記憶領域に保存、管理することができる。
【０１５５】
次に、ｂｌｏｇサーバ２は、複合機１側からトラックバックの要求があるか否かを判断する（Ｓ１１２０）。ここで、複合機１がアップロード処理時に上記Ｓ１０３５の処理によってデータ送信を行っていると、Ｓ１１２０の処理では複合機１側からトラックバックの要求があると判断され、一方、複合機１がアップロード処理時に上記Ｓ１０４０の処理によってデータ送信を行っていると、Ｓ１１２０の処理では複合機１側からトラックバックの要求がないと判断される。
【０１５６】
Ｓ１１２０の処理による判断の結果、複合機１側からトラックバックの要求があった場合には（Ｓ１１２０：ＹＥＳ）、アップロード先となるアドレスを基にトラックバック先アドレスにトラックバックＰｉｎｇ（トラックバック通知）を送信する（Ｓ１１２５）。より具体的な例を交えて説明すれば、複合機１からｂｌｏｇサーバ２へアップロードした画像には、そのアップロード先となるアドレスが割り当てられており、そのアドレスがＳ１１２５の処理ではトラックバック元アドレスとされる。また、上記Ｓ１０３５の処理によって複合機１からｂｌｏｇサーバ２へアップロードされたデータ中には、上述したＳ２２０の処理において取得した１つのトラックバック先アドレスが含まれている。これらのトラックバック元アドレスおよびトラックバック先アドレスを利用して、ｂｌｏｇサーバ２はトラックバックＰｉｎｇを送信する。
【０１５７】
なお、トラックバック先アドレスが、例えば、トラックバック先ｂｌｏｇサーバ３内の記事に割り当てられたアドレスである場合、Ｓ１１２５の処理によって送信されたトラックバックＰｉｎｇは、トラックバック先ｂｌｏｇサーバ３によって受信される。トラックバックＰｉｎｇを受信したトラックバック先ｂｌｏｇサーバ３は、トラックバック先アドレスに対応する記事に関し、トラックバック元アドレスへのハイパーリンクを追加登録する。以後、このトラックバック先アドレスに対応する記事に対する閲覧要求をトラックバック先ｂｌｏｇサーバ３が受信した際には、トラックバック元アドレスへのリンクが張られた記事が記事情報配信部３４から配信され、その結果、この記事を受信した端末装置（例えばＰＣ４）では、受信した記事の中に記述されているトラックバック元アドレスへのハイパーリンクを利用して、ｂｌｏｇサーバ２にアップロードされた画像の閲覧を行うことができるようになる。
【０１５８】
［印刷記事登録処理］
次に、印刷記事登録処理（図５中のＳ１２５の処理）の詳細について説明する。
図１９は、印刷記事登録処理のフローチャートである。
【０１５９】
この処理を開始すると、複合機１は、図１９に示すように、まず、利用者による印刷対象となる記事のアドレスを入力を受け（Ｓ１２０５）、入力されたアドレスに基づき、ＨＴＴＰ通信により、サーバに印刷データ（記事）の配信を要求する（Ｓ１２１０）。このＳ１２０５およびＳ１２１０の処理は、ＰＣにおけるウェブブラウザと同等の処理であり、Ｓ１２１０の処理でサーバに対して配信を要求する印刷データは、印刷用のウェブページデータである。
【０１６０】
ここで、一旦、Ｓ１２１０の処理による要求を受けたサーバ側で実行される記事情報配信処理について、トラックバック先ｂｌｏｇサーバ３の場合を例に挙げて説明する。図２０は、トラックバック先ｂｌｏｇサーバ３側で実行される記事情報配信処理のフローチャートである。
【０１６１】
トラックバック先ｂｌｏｇサーバ３が複合機１から上記Ｓ１２１０の処理による要求を受けると、図２０に示すように、まず、複合機１の印刷記事登録処理時に送信されたコマンドを受信する（Ｓ１３０５）。ここで受信するコマンドとは、上記Ｓ１２１０の処理でサーバに対して送信された「印刷データ（記事）の配信を要求するコマンド」である。
【０１６２】
このコマンドを受信すると、トラックバック先ｂｌｏｇサーバ３は、複合機１より送信されたコマンドを基に印刷データを生成する（Ｓ１３１０）。この処理では、内容が変更されない静的なデータや随時内容が変更される動的なデータなどを組み合わせることによって、動的に印刷データが生成される。そして、生成された印刷データ（記事）と、この印刷データに対応するトラックバック先アドレスを、複合機１に送信して（Ｓ１３１５）、記事情報配信処理を終了する。
【０１６３】
以上のような記事情報配信処理がトラックバック先ｂｌｏｇサーバ３側で実行される結果、トラックバック先ｂｌｏｇサーバ３から複合機１へは、印刷データ（記事）およびトラックバック先アドレスが応答として返されることになる。以下、複合機１側の処理（図１９に示した印刷記事登録処理）の説明に話を戻す。
【０１６４】
トラックバック先ｂｌｏｇサーバ３側から、応答として印刷データおよびトラックバック先アドレスが返されると、複合機１は、サーバより印刷データ（記事）等を受信し（Ｓ１２１５）、受信した印刷データを印刷する（Ｓ１２２０）。この処理により、所期の記事が印刷出力されることになるので、利用者は印刷された記事を閲覧することができる。
【０１６５】
そして、複合機１は、印刷データとともに受信したトラックバック先アドレスと印刷時刻を、記憶部１８内の印刷記事データベース１８ｂに保存して（Ｓ１２２５）、印刷記事登録処理を終了する。この処理により、印刷記事データベース１８ｂには、印刷した記事に対応するトラックバック先アドレスと印刷時刻が、図２（ｂ）に示したようなデータ形式で保存、蓄積されることになる。なお、蓄積されたトラックバック先アドレスは、先に説明した取得処理１等において参照、利用される。
【０１６６】
［メモリカード内データ処理］
次に、メモリカード内データ処理（図５中のＳ１３５の処理）の詳細について説明する。
【０１６７】
図２１は、メモリカード内データ処理のフローチャートである。
この処理を開始すると、複合機１は、図２１に示すように、まず、複合機１にメモリカード６が挿入されているか否かを判断する（Ｓ１４０５）。複合機１にメモリカード６が挿入されていない場合（Ｓ１４０５：ＮＯ）、複合機１は、メモリカードの挿入を促すメッセージを表示部１３に表示して（Ｓ１４１０）、Ｓ１４０５の処理へと戻る。
【０１６８】
一方、複合機１にメモリカード６が挿入されている場合（Ｓ１４０５：ＮＯ）、複合機１は、データ処理モードを表示部１３に表示して（Ｓ１４１５）、操作部１２での操作により、利用者によるデータ処理モードの選択を受ける（Ｓ１４２０）。データ処理モードには、追加、更新、および削除、以上３つのモードがあり、これらのいずれかがＳ１４２０の処理において選択されることになる。
【０１６９】
そこで、複合機１は、まず、選択されたデータ処理モードは追加であるか否かを判断し（Ｓ１４２５）、追加であった場合は（Ｓ１４２５：ＹＥＳ）、新たなトラックバック先アドレスの挿入を促すメッセージを表示部１３に表示して（Ｓ１４３０）、操作部１２での操作により、利用者によるトラックバック先アドレスの入力を受ける（Ｓ１４３５）。このとき、表示部１３には、図１１に示すようなトラックバック先アドレス入力用の画面が表示され、利用者は、操作部１２におけるキー操作により、トラックバック先アドレスを入力することができる。そして、入力されたトラックバック先アドレスをメモリカード６に保存して（Ｓ１４４０）、メモリカード内データ処理を終了する。
【０１７０】
一方、利用者により選択されたデータ処理モードが追加でなかった場合（Ｓ１４２５：ＮＯ）、複合機１は、選択されたデータ処理モードは更新であるか否かを判断し（Ｓ１４４５）、更新であった場合は（Ｓ１４４５：ＹＥＳ）、メモリカード６に保存されているトラックバック先アドレスを表示部１３に一覧表示し（Ｓ１４５０）、利用者による変更対象となるトラックバック先アドレスの選択を受ける（Ｓ１４５５）。
【０１７１】
Ｓ１４５５の処理により、表示部１３には、図９に示すような、１件分のトラックバック先に関する情報表示がなされることになる。また、複数件分のトラックバック先に関する情報をメモリカード６から抽出した場合には、表示部１３の右端に三角形のマークが表示され、利用者は、操作部１２におけるキー操作により、１件分ずつ表示部１３にトラックバック先に関する情報を表示させることができる。Ｓ１４５５の処理においては、表示部１３に表示された内容を見て、利用者が任意に１つのトラックバック先アドレスを変更対象として選択することができる。
【０１７２】
続いて、複合機１は、操作部１２での操作により、利用者によるトラックバック先アドレスの入力を受ける（Ｓ１４６０）。このとき、表示部１３には、図１１に示すようなトラックバック先アドレス入力用の画面が表示され、利用者は、操作部１２におけるキー操作により、トラックバック先アドレスを入力することができる。そして、入力されたトラックバック先アドレスをメモリカード６に保存して（Ｓ１４６５）、メモリカード内データ処理を終了する。Ｓ１４６５の処理では、Ｓ１４５５の処理で選択されたトラックバック先アドレスに対し、Ｓ１４６０の処理で入力されたトラックバック先アドレスが上書き保存されることになる。
【０１７３】
さて、Ｓ１４４５の処理による判断の結果、選択されたデータ処理モードが更新でなかった場合は（Ｓ１４４５：ＮＯ）、データ処理モードが削除であることを意味するので、メモリカード６に保存されているトラックバック先アドレスを表示部１３に一覧表示し（Ｓ１４７０）、利用者による削除対象となるトラックバック先アドレスの選択を受ける（Ｓ１４７５）。
【０１７４】
Ｓ１４７５の処理により、表示部１３には、図９に示すような、１件分のトラックバック先に関する情報表示がなされることになる。また、複数件分のトラックバック先に関する情報をメモリカード６から抽出した場合には、表示部１３の右端に三角形のマークが表示され、利用者は、操作部１２におけるキー操作により、１件分ずつ表示部１３にトラックバック先に関する情報を表示させることができる。Ｓ１４７５の処理においては、表示部１３に表示された内容を見て、利用者が任意に１つのトラックバック先アドレスを削除対象として選択することができる。
【０１７５】
１つのトラックバック先アドレスが選択されたら、複合機１は、選択されたトラックバック先アドレスを削除して（Ｓ１４８０）、メモリカード内データ処理を終了する。
［効果］
以上説明した複合機１によれば、読取部１６において読み取られた画像と併せて、この画像に対応付けるトラックバック先アドレスを示すアドレスデータをもｂｌｏｇサーバ２へと送信することができる。したがって、読取部１６によって読み取られた画像のみをサーバ（例えばＦＴＰサーバ）へ送信する画像処理装置とは異なり、複合機１単独での処理により、ｂｌｏｇサーバ２へ送信された画像をトラックバック元とするトラックバック通知をｂｌｏｇサーバ２からトラックバック先アドレス宛に送信することができるようになる。
【０１７６】
また、ｂｌｏｇサーバ２へアップロードした画像に対するトラックバックを設定するに当たって、複合機１とは別にＰＣ等の端末装置を利用する必要がないので、ＰＣ等の端末装置を必要とするものほどシステム全体を導入するためのコストがかからず、複合機１とＰＣ等の端末装置それぞれにおいて操作を実施しなくてもよいので、それらの操作にかかる手間も省くことができる。
【０１７７】
また、上記複合機１においては、自機が過去にアクセスしたウェブページのアクセス履歴（より具体的には、自機が印刷した記事の印刷履歴）を、印刷記事データベース１８ｂの中に保存し、この履歴の中からトラックバック先アドレスを選ぶことができる。したがって、操作部１２が文字列を入力するには不向きな簡素なキーしか備えていなくても、多数の文字で構成されるトラックバック先アドレスを、きわめて簡単に入力することができる。
【０１７８】
さらに、上記複合機１において、上記印刷記事データベース１８ｂには、複数のトラックバック先アドレスの候補が蓄積され、その中の１つを利用者が任意に選択できるようになっているので、最新のアクセス履歴１件のみが常に上書きで保存されるようなものに比べ、利用者が必要とするトラックバック先アドレスを取得できる可能性を高めることができる。
【０１７９】
また、上記複合機１において、上記印刷記事データベース１８ｂは、複合機１が備える記憶部１８内に格納されているので、複合機１が自機内における内部処理のみで印刷記事データベース１８ｂにアクセスすることができる。したがって、ネットワーク上で通信障害等のトラブルが発生した場合にも、印刷記事データベース１８ｂから情報が取得できなくなることがなく、印刷記事データベース１８ｂにトラックバック先アドレスを登録できなくなることもない。
【０１８０】
加えて、上記複合機１においては、読取部１６によって読み取った画像（文字、バーコード、二次元コード等）、複合機１に対して着脱自在なメモリカード６、あるいは、ＰＣ４のような他の端末装置から、簡単にトラックバック先アドレスを取得することができるので、利用者の使い勝手のよい媒体をトラックバック先アドレスの取得先とすることができる。
【０１８１】
［上記実施形態と本発明との対応関係］
上記実施形態において、複合機１は本発明の画像処理装置に相当する。また、複合機１からのデータ送信対象であるｂｌｏｇサーバ２が、本発明でいう「ネットワーク上の端末装置から受信した画像をネットワーク上の他の端末装置へ配信する機能およびトラックバック先アドレスに対してトラックバック通知を送信する機能を備えたサーバ」に相当する。
【０１８２】
また、原稿から画像を読み取り可能な読取部１６が、本発明でいう画像読取手段に相当する。また、複合機１は、Ｓ２２０の処理（より詳しくは図７、図８、図１０、図１２、図１５、および図１６に示した処理）により、読取部１６によって読み取られた画像に対応付けるトラックバック先アドレスを決定しており、このＳ２２０の処理を実行する制御部１１が、本発明でいう決定手段に相当する。また、複合機１は、Ｓ２４０の処理（より詳しくは図１７に示した処理）により、読取部１６によって読み取られた画像を表す画像データ、および上述の決定手段によって決定されたトラックバック先アドレスを示すアドレスデータを、ｂｌｏｇサーバ２へと送信しており、このＳ２４０の処理を実行する制御部１１が、本発明でいうデータ送信手段に相当する。
【０１８３】
さらに、複合機１は、Ｓ９２０の処理により、読取部１６によって読み取られた画像（文字、バーコード、二次元コード等）を、前記画像によって表現されたデータ（トラックバック先アドレス）に変換しており、このＳ９２０の処理を実行する制御部１１が、本発明でいうデータ変換手段に相当する。
【０１８４】
また、メモリカード６が、本発明でいう「着脱自在な記憶媒体」であり、複合機１は、このメモリーカード６に記憶されたデータを読み取り可能なメモリカードインターフェース１９を備え、Ｓ８１０の処理によってメモリーカード６に記憶されたデータを読み取っており、これらメモリカードインターフェース１９および「Ｓ８１０の処理を実行する制御部１１」が本発明でいうデータ読取手段に相当する。
【０１８５】
また、複合機１は、自機と通信可能なＰＣ４からデータ（トラックバック先アドレス）を受信可能な通信部１４を備え、Ｓ６１０〜Ｓ６１５の処理によってＰＣ４からデータを受信しており、これら通信部１４および「Ｓ６１０〜Ｓ６１５の処理を実行する制御部１１」が本発明でいうデータ受信手段に相当する。
【０１８６】
加えて、複合機１は、処理対象の候補となる複数のトラックバック先アドレスのリストを表示可能な表示部１３を備え、Ｓ４２０、Ｓ６２５、Ｓ８２０、またはＳ９３０の処理によって表示部１３にリストを表示しており、これら表示部１３および「Ｓ４２０、Ｓ６２５、Ｓ８２０、またはＳ９３０の処理を実行する制御部１１」が本発明でいうアドレスリスト表示手段に相当する。また、複合機１は、利用者からの入力操作を受け付ける操作部１２を備え、Ｓ４２５、Ｓ６３０、Ｓ８２５、またはＳ９３５の処理により、操作部１２において受けた利用者からの入力操作に基づいて、上述のアドレスリスト表示手段によって表示されたアドレスのリストの中から、少なくとも１つのアドレスを選択しており、これら操作部１２および「Ｓ４２５、Ｓ６３０、Ｓ８２５、またはＳ９３５の処理を実行する制御部１１」が本発明でいうアドレス選択手段に相当する。
【０１８７】
［その他の実施形態］
以上、本発明の実施形態について説明したが、本発明は上記の具体的な一実施形態に限定されず、この他にも種々の形態で実施することができる。
【０１８８】
例えば、上記複合機１においては、印刷記事データベース１８ｂを、複合機１が備える記憶部１８内に格納する例を示したが、印刷記事データベース１８ｂに相当する構成を、ネットワーク５上の他の機器に設けてもよい。
【０１８９】
より具体的には、例えば、利用者が主にＰＣ４を利用してｂｌｏｇサーバ２やトラックバック先ｂｌｏｇサーバ３から配信される記事を閲覧しているような場合、上記印刷記事データベース１８ｂに相当するデータベースをＰＣ４の内部に設け、ＰＣ４での閲覧履歴をデータベースに保存するようにする。あるいは、ＰＣ４で記事を閲覧した際、その記事を複合機１へ印刷出力した場合に限り、その印刷履歴をＰＣ４の内部のデータベースに保存するようにしてもよい。これらの構成を採用すると、ＰＣ４の内部のデータベースにアクセス履歴（閲覧履歴または印刷履歴）が保存される。そこで、複合機１は、印刷記事データベース１８ｂからアクセス履歴を取得するのと同じタイミングで、ＰＣ４との通信を行い、ＰＣ４側のデータベースからＰＣ４によるアクセス履歴を取得する。そして、ＰＣ４から取得したアクセス履歴の中からトラックバック先アドレスを選択できるようにする。このような構成を採用すれば、複合機１でのアクセス履歴に代えて、ＰＣ４でのアクセス履歴に基づき、トラックバック先アドレスの選択ができるようになる。
【０１９０】
また、複合機１およびＰＣ４を含むネットワーク５上の複数の端末装置から、共通にアクセスできるような共有ストレージデバイスをネットワーク５上に設けておき、この共有ストレージデバイス上に上記印刷記事データベース１８ｂに相当するデータベースを設け、複合機１やＰＣ４が記事の配信を受けた際には、それらの履歴すべてが共有ストレージデバイス内のデータベースに保存するように構成してもよい。この場合、例えば、複合機１、ＰＣ４、あるいはその他の端末（例えば携帯電話等の無線端末など）が、記事の配信を受ける毎に、共有ストレージデバイス内のデータベースにアクセスして、その履歴をデータベースに残すようにする。
【０１９１】
以上のような構成を採用すれば、いずれの構成を採用しても、複合機１は、自機のアクセス履歴のみではなく、ＰＣ４などの他機のアクセス履歴を参照してトラックバック先アドレスを選択できるようになるので、利用者あるいは用途によっては、より便利で使い勝手のよい構成となる。
【図面の簡単な説明】
【０１９２】
【図１】画像処理システム全体の構成を示すブロック図。
【図２】アプリケーション設定データおよび印刷記事データベースのデータ構造を例示する説明図。
【図３】設定データおよび登録記事データベースのデータ構造を例示する説明図。
【図４】トラックバックリストのデータ構造を例示する説明図。
【図５】複合機処理のフローチャート。
【図６】ｂｌｏｇデータ登録処理のフローチャート。
【図７】トラックバック先アドレス取得処理のフローチャート。
【図８】取得処理１のフローチャート。
【図９】表示部におけるトラックバック先アドレスの表示例を示す説明図。
【図１０】取得処理２のフローチャート。
【図１１】トラックバック先アドレス入力時の表示部における表示例を示す説明図。
【図１２】取得処理３のフローチャート。
【図１３】ＰＣ４側で実行されるアドレス取得処理のフローチャート。
【図１４】ＰＣの表示部に表示されるウィンドウの説明図。
【図１５】取得処理４のフローチャート。
【図１６】取得処理５のフローチャート。
【図１７】アップロード処理のフローチャート。
【図１８】ｂｌｏｇサーバ側で実行されるｂｌｏｇサーバ処理のフローチャート。
【図１９】印刷記事登録処理のフローチャート。
【図２０】トラックバック先サーバ側で実行される記事情報配信処理のフローチャート。
【図２１】メモリカード内データ処理のフローチャート。
【符号の説明】
【０１９３】
１・・・複合機、２・・・ｂｌｏｇサーバ、３・・・トラックバック先ｂｌｏｇサーバ、４・・・ＰＣ（パーソナルコンピュータ）、５・・・ネットワーク、６・・・メモリカード、１１・・・制御部、１２・・・操作部、１３・・・表示部、１４・・・通信部、１５・・・電話通信部、１６・・・読取部、１７・・・印刷部、１８・・・記憶部、１８ａ・・・アプリケーション設定データ、１８ｂ・・・印刷記事データベース、１９・・・メモリカードインターフェース、２１・・・制御部、２２・・・通信部、２３・・・記事情報記憶部、２３ａ・・・設定データ、２３ｂ・・・登録記事データベース、２４・・・記事情報配信部、３１・・・制御部、３２・・・通信部、３３・・・記事情報記憶部、３４・・・記事情報配信部、４１・・・制御部、４２・・・入力部、４３・・・表示部、４４・・・通信部、４５・・・記憶部、７１・・・ウィンドウ、７３・・・ラジオボタン、７５・・・ＵＲＬ入力欄、７７・・・パス名入力欄、７９・・・参照ボタン、８１・・・決定ボタン、８３・・・キャンセルボタン。
【図１】
2007067873.tif 000003
【図２】
2007067873.tif 000004
【図３】
2007067873.tif 000005
【図４】
2007067873.tif 000006
【図５】
2007067873.tif 000007
【図６】
2007067873.tif 000008
【図７】
2007067873.tif 000009
【図８】
2007067873.tif 000010
【図９】
2007067873.tif 000011
【図１０】
2007067873.tif 000012
【図１１】
2007067873.tif 000013
【図１２】
2007067873.tif 000014
【図１３】
2007067873.tif 000015
【図１４】
2007067873.tif 000016
【図１５】
2007067873.tif 000017
【図１６】
2007067873.tif 000018
【図１７】
2007067873.tif 000019
【図１８】
2007067873.tif 000020
【図１９】
2007067873.tif 000021
【図２０】
2007067873.tif 000022
【図２１】
2007067873.tif 000023